(57)【特許請求の範囲】
【請求項１】
無線通信システムにおいて動作する端末（ＵＥ）により実行される方法であって、
下りリンク制御情報(ＤＣＩ)が、（ｉ）ページングリソース割り当て情報、及び（ｉｉ）システム情報更新指示のそれぞれを含むか否かを示す指示情報を含む前記ＤＣＩを受信するステップと、
前記ＤＣＩが（ｉ）前記ページングリソース割り当て情報、及び（ｉｉ）前記システム情報更新指示の両方を含むことを示す前記指示情報に基づいて、
前記ＤＣＩの第１ビットフィールドから前記ページングリソース割り当て情報を決定するステップと、
前記ＤＣＩの第２ビットフィールドから前記システム情報更新指示を決定するステップと、
前記ＤＣＩに含まれる前記ページングリソース割り当て情報に基づいてページングメッセージを受信するステップと、
前記ＤＣＩに含まれる前記システム情報更新指示に基づいて更新されたシステム情報を受信するステップと、
を含む、方法。
【請求項２】
前記ページングリソース割り当て情報及び前記システム情報更新指示のうち、前記システム情報更新指示のみが前記ＤＣＩに含まれることを示す前記指示情報に基づいて、
前記ＤＣＩから前記システム情報更新指示を決定するステップと、
前記ＤＣＩに含まれる前記システム情報更新指示に基づいて、前記更新されたシステム情報を受信するステップと、
をさらに含む、請求項１に記載の方法。
【請求項３】
前記ＤＣＩ内の前記指示情報は、２ビットから成り、
前記２ビットの１つは、前記ＤＣＩが前記システム情報更新指示を含むか否かを示し、
前記２ビットの他の１つは、前記ＤＣＩが前記ページングリソース割り当て情報を含むか否かを示す、請求項１に記載の方法。
【請求項４】
前記ページングリソース割り当て情報は、前記ページングメッセージが受信されるリソースに関する時間−周波数情報を含む、請求項１に記載の方法。
【請求項５】
前記ＤＣＩは、Ｐ−ＲＮＴＩによりスクランブルされるＣＲＣをさらに含む、請求項１に記載の方法。
【請求項６】
前記システム情報更新指示は、（ｉ）システム情報変更指示子、（ｉｉ）ＥＴＷＳ指示、又は（ｉｉｉ）ＣＭＡＳ指示の少なくとも１つを含む、請求項１に記載の方法。
【請求項７】
前記ページングメッセージは、ＰＤＳＣＨを通して受信される、請求項１に記載の方法。
【請求項８】
無線通信システムにおいて動作するよう構成された端末（ＵＥ）であって、
送受信器と、
少なくとの１つのプロセッサと、
前記少なくとの１つのプロセッサと動作可能に接続可能な少なくとも１つのコンピュータメモリと、を含み、
前記少なくとの１つのコンピュータメモリは、前記少なくとの１つのプロセッサにより実行されるとき、
前記送受信器を通して、下りリンク制御情報(ＤＣＩ)が、（ｉ）ページングリソース割り当て情報、及び（ｉｉ）システム情報更新指示のそれぞれを含むか否かを示す指示情報を含む前記ＤＣＩを受信し、
前記ＤＣＩが（ｉ）前記ページングリソース割り当て情報、及び（ｉｉ）前記システム情報更新指示の両方を含むことを示す前記指示情報に基づいて、
前記ＤＣＩの第１ビットフィールドから前記ページングリソース割り当て情報を決定し、
前記ＤＣＩの第２ビットフィールドから前記システム情報更新指示を決定し、
前記送受信器を通して、前記ＤＣＩに含まれる前記ページングリソース割り当て情報に基づいてページングメッセージを受信し、
前記送受信器を通して、前記ＤＣＩに含まれる前記システム情報更新指示に基づいて更新されたシステム情報を受信することを含む動作を実行する命令を格納する、端末。
【請求項９】
前記動作は、
前記ページングリソース割り当て情報及び前記システム情報更新指示のうち、前記システム情報更新指示のみが前記ＤＣＩに含まれることを示す前記指示情報に基づいて、
前記ＤＣＩから前記システム情報更新指示を決定し、
前記ＤＣＩに含まれる前記システム情報更新指示に基づいて、前記更新されたシステム情報を受信することをさらに含む、請求項８に記載の端末。
【請求項１０】
前記ＤＣＩ内の前記指示情報は、２ビットから成り、
前記２ビットの１つは、前記ＤＣＩが前記システム情報更新指示を含むか否かを示し、
前記２ビットの他の１つは、前記ＤＣＩが前記ページングリソース割り当て情報を含むか否かを示す、請求項８に記載の端末。
【請求項１１】
前記ページングリソース割り当て情報は、前記ページングメッセージが受信されるリソースに関する時間−周波数情報を含む、請求項８に記載の端末。
【請求項１２】
無線通信システムにおいて動作する基地局（ＢＳ）により実行される送信の方法であって、
下りリンク制御情報(ＤＣＩ)が、（ｉ）ページングリソース割り当て情報、及び（ｉｉ）システム情報更新指示のそれぞれを含むか否かを示す指示情報を含む前記ＤＣＩを端末（ＵＥ）に送信するステップと、
前記ＤＣＩが（ｉ）前記ページングリソース割り当て情報、及び（ｉｉ）前記システム情報更新指示の両方を含むことを前記指示情報が示す状態において、
前記ＤＣＩに含まれる前記ページングリソース割り当て情報に基づいてページングメッセージを前記端末に送信するステップと、
前記ＤＣＩに含まれる前記システム情報更新指示に基づいて更新されたシステム情報を前記端末に送信するステップと、
を含む、方法。
【請求項１３】
前記ページングリソース割り当て情報及び前記システム情報更新指示のうち、前記システム情報更新指示のみが前記ＤＣＩに含まれることを前記指示情報が示す状態において、
前記ＤＣＩに含まれる前記システム情報更新指示に基づいて、更新されたシステム情報を前記端末に送信するステップをさらに含む、請求項１２に記載の方法。
【請求項１４】
前記ＤＣＩ内の前記指示情報は、２ビットから成り、
前記２ビットの１つは、前記ＤＣＩが前記システム情報更新指示を含むか否かを示し、
前記２ビットの他の１つは、前記ＤＣＩが前記ページングリソース割り当て情報を含むか否かを示す、請求項１２に記載の方法。
【請求項１５】
前記ページングリソース割り当て情報は、前記ページングメッセージが受信されるリソースに関する時間−周波数情報を含む、請求項１２に記載の方法。
【請求項１６】
前記ＤＣＩは、Ｐ−ＲＮＴＩによりスクランブルされるＣＲＣをさらに含む、請求項１２に記載の方法。
【請求項１７】
前記システム情報更新指示は、（ｉ）システム情報変更指示子、（ｉｉ）ＥＴＷＳ指示、又は（ｉｉｉ）ＣＭＡＳ指示の少なくとも１つを含む、請求項１２に記載の方法。
【請求項１８】
前記ページングメッセージは、ＰＤＳＣＨを通して送信される、請求項１２に記載の方法。
【請求項１９】
無線通信システムにおいて動作するよう構成された基地局（ＢＳ）であって、
送受信器と、
少なくとの１つのプロセッサと、
前記少なくとの１つのプロセッサと動作可能に接続可能な少なくとも１つのコンピュータメモリと、を含み、
前記少なくとの１つのコンピュータメモリは、前記少なくとの１つのプロセッサにより実行されるとき、
前記送受信器を通して、下りリンク制御情報(ＤＣＩ)が、（ｉ）ページングリソース割り当て情報、及び（ｉｉ）システム情報更新指示のそれぞれを含むか否かを示す指示情報を含む前記ＤＣＩを端末（ＵＥ）に送信し、
前記ＤＣＩが（ｉ）前記ページングリソース割り当て情報、及び（ｉｉ）前記システム情報更新指示の両方を含むことを前記指示情報が示す状態において、
前記送受信器を通して、前記ＤＣＩに含まれる前記ページングリソース割り当て情報に基づいてページングメッセージを前記端末に送信し、
前記送受信器を通して、前記ＤＣＩに含まれる前記システム情報更新指示に基づいて更新されたシステム情報を前記端末に送信することを含む動作を実行する命令を格納する、基地局。
【請求項２０】
前記動作は、
前記ページングリソース割り当て情報及び前記システム情報更新指示のうち、前記システム情報更新指示のみが前記ＤＣＩに含まれることを前記指示情報が示す状態において、
前記送受信器を通して、前記ＤＣＩに含まれる前記システム情報更新指示に基づいて、更新されたシステム情報を前記端末に送信することをさらに含む、請求項１９に記載の基地局。
【請求項２１】
前記ＤＣＩ内の前記指示情報は、２ビットから成り、
前記２ビットの１つは、前記ＤＣＩが前記システム情報更新指示を含むか否かを示し、
前記２ビットの他の１つは、前記ＤＣＩが前記ページングリソース割り当て情報を含むか否かを示す、請求項１９に記載の基地局。
【請求項２２】
前記ページングリソース割り当て情報は、前記ページングメッセージが受信されるリソースに関する時間−周波数情報を含む、請求項１９に記載の基地局。
【発明の詳細な説明】
【技術分野】
【０００１】
本発明は無線通信に関し、より詳しくは、ページングメッセージを受信する方法及びそのための端末に関する。
【背景技術】
【０００２】
Ｎｅｗ Ｒａｄｉｏ ａｃｃｅｓｓ ｔｅｃｈｎｏｌｏｇｙ(ＮＲ)システムが導入される場合、より多い通信機器がより大きい通信容量を要求することにより、既存のＲＡＴに比べて向上したモバイル広帯域(ｍｏｂｉｌｅ ｂｒｏａｄｂａｎｄ)通信に対する必要性が台頭しつつある。
【０００３】
また、複数の装置と客体(ｏｂｊｅｃｔ)とを相互接続していつどこでも様々なサービスを提供するためのｍａｓｓｉｖｅ ＭＴＣ(Ｍａｃｈｉｎｅ Ｔｙｐｅ Ｃｏｍｍｕｎｉｃａｔｉｏｎ)は、次世代通信において考慮すべき主要争点の一つである。また、信頼度及び待機時間に敏感なサービス／ＵＥを考慮して設計される通信システムに関する議論が進行中である。このように、Ｎｅｗ ＲＡＴでは、向上したモバイル広帯域通信(ｅＭＢＢ；ｅｎｈａｎｃｅｄ ｍｏｂｉｌｅ ｂｒｏａｄｂａｎｄ ｃｏｍｍｕｎｉｃａｔｉｏｎ)、ｍＭＴＣ(ｍａｓｓｉｖｅ ＭＴＣ)、ＵＲＬＬＣ(ｕｌｔｒａ−ｒｅｌｉａｂｌｅ ａｎｄ ｌｏｗ ｌａｔｅｎｃｙ ｃｏｍｍｕｎｉｃａｔｉｏｎ)などを考慮したサービスが論議されている。
【発明の概要】
【発明が解決しようとする課題】
【０００４】
本発明で遂げようとする技術的課題は、端末がページングメッセージを受信する方法を提供することにある。
【０００５】
本発明で遂げようとする他の技術的課題は、ページングメッセージを受信するための端末を提供することにある。
【０００６】
本発明で遂げようとする技術的目的は以上で言及した事項に限定されず、言及していない別の技術的課題は、以下に説明する本発明の実施例から、本発明の属する技術の分野における通常の知識を有する者によって考慮され得る。
【課題を解決するための手段】
【０００７】
上記技術的課題を達成するための、端末がページングメッセージを受信する方法は、第１下りリンク制御情報(ＤＣＩ)を受信する段階、及び該第１ＤＣＩにページング指示子(ｐａｇｉｎｇ ｉｎｄｉｃａｔｏｒ)フィールドが含まれているか否かを決定する段階を含む。
【０００８】
上記方法は、ページング指示子フィールドが第１ＤＣＩに含まれている場合、ページング指示子フィールドに端末の情報が含まれているか否かを決定する段階、ページング指示子フィールドに端末の情報が含まれていると、ページングメッセージ受信のためのスケジューリング情報を含む第２ＤＣＩを受信する段階、及び第２ＤＣＩに基づいてページングメッセージを受信する段階を含む。上記方法は、第１ＤＣＩに含まれたシステム情報フィールドに基づいてシステム情報の更新時点に更新されたシステム情報を得る段階を含む。上記方法は、さらに第１ＤＣＩは端末のフィードバックを要求するか否かを指示するフィールドを含み、端末のフィードバックが求められる場合、さらに端末の上りリンクフィードバックを送信する段階を含む。この時、端末は該端末の上りリンクフィードバックを送信した後にページングメッセージを受信することができる。
【０００９】
上記方法は、ページング指示子フィールドが第１ＤＣＩに含まれている場合、ページング指示子フィールドに端末の情報が含まれているか否かを決定する段階、及びページング指示子フィールドに端末の情報が含まれていないと、第１ＤＣＩに含まれたシステム情報フィールドに基づいてシステム情報の更新時点に更新されたシステム情報を得る段階を含む。
【００１０】
上記方法は、ページング指示子フィールドが第１ＤＣＩに含まれていない場合、第１ＤＣＩはページングメッセージの送信のためのリソース割り当て情報を含み、さらに第１ＤＣＩに基づいてページングメッセージを受信する段階を含む。上記方法は、第１ＤＣＩはさらにシステム情報フィールドを含み、システム情報フィールドに基づいてシステム情報の更新時点に更新されたシステム情報を得ることができる。
【００１１】
上記他の技術的課題を達成するための、ページングメッセージを受信するための端末は、第１下りリンク制御情報(ＤＣＩ)を受信するように構成された受信器、及び第１ＤＣＩにページング指示子(ｐａｇｉｎｇ ｉｎｄｉｃａｔｏｒ)フィールドが含まれているか否かを決定するように構成されたプロセッサを含む。該プロセッサは、ページング指示子フィールドが第１ＤＣＩに含まれている場合、ページング指示子フィールドに端末の情報が含まれているか否かを決定するように構成され、受信器は、ページング指示子フィールドに端末の情報が含まれていると、ページングメッセージ受信のためのスケジューリング情報を含む第２ＤＣＩを受信し、第２ＤＣＩに基づいてページングメッセージを受信するように構成される。プロセッサは、第１ＤＣＩに含まれたシステム情報フィールドに基づいてシステム情報の更新時点に更新されたシステム情報を得るように構成される。第１ＤＣＩはさらに端末のフィードバックを要求するか否かを指示するフィールドを含み、端末は端末のフィードバックが求められる場合、さらに端末の上りリンクフィードバックを送信するように構成された送信器を含む。
【００１２】
プロセッサは、ページング指示子フィールドが第１ＤＣＩに含まれている場合、ページング指示子フィールドに端末の情報が含まれているか否かを決定するように構成され、ページング指示子フィールドに端末の情報が含まれていないと、第１ＤＣＩに含まれたシステム情報フィールドに基づいてシステム情報の更新時点に更新されたシステム情報を得るように構成される。第１ＤＣＩはさらにシステム情報フィールドを含み、プロセッサはシステム情報フィールドに基づいてシステム情報の更新時点に更新されたシステム情報を得るように構成される。
【発明の効果】
【００１３】
本発明の一実施例によれば、ＮＲシステムにおいて、ページングメッセージを効率的に受信することができる。
【００１４】
本発明に係る効果は、以上で言及した効果に制限されず、言及していない他の効果は、以下の発明の詳細な説明から、本発明の属する技術の分野における通常の知識を有する者には明確に理解されるであろう。
【図面の簡単な説明】
【００１５】
本発明に関する理解を助けるために詳細な説明の一部として含まれる添付の図面は、本発明に関する実施例を提供し、詳細な説明と共に本発明の技術的思想を説明する。
【００１６】
【図１】無線通信システム１００における基地局１０５及び端末１１０の構成を示すブロック図である。
【図２】ＰＦ及びＰＯの一例を示す図である。
【図３】ＮＲにおけるページング手順を例示する図である。
【図４】マルチ−ビーム基盤の動作に伴うページングの一例を示す図である。
【図５】ページングＤＣＩを構成する一部フィールドを例示する図である。
【図６】ＰＩにおけるビットマップを例示する図である。
【図７】ページングＤＣＩの一部フィールドの構成方式を例示する図である。
【図８】端末フィードバックｆｌａｇフィールドがページングＤＣＩに存在しない場合のページングメッセージ受信に関連する過程を例示する図である。
【図９】端末フィードバックｆｌａｇフィールドがページングＤＣＩに存在する場合のページングメッセージ受信に関連する過程を例示する図である。
【図１０】ページングＤＣＩの一部フィールドの構成方式を例示する図である。
【図１１】端末フィードバックｆｌａｇフィールドがページングＤＣＩに存在しない場合のページングメッセージ受信に関連する過程を例示する図である。
【図１２】端末フィードバックｆｌａｇフィールドがページングＤＣＩに存在する場合のページングメッセージ受信に関連する過程を例示する図である。
【発明を実施するための形態】
【００１７】
以下、本発明の好適な実施形態を、添付の図面を参照して詳細に説明する。添付の図面と共に以下に開示される詳細な説明は、本発明の例示的な実施形態を説明するためのもので、本発明を実施できる唯一の実施形態を示すものではない。以下の詳細な説明は、本発明の完全な理解を提供するために具体的な細部事項を含む。しかし、当業者には、本発明がそれらの具体的な細部事項なしにも実施可能であるということが理解される。例えば、以下の詳細な説明は移動通信システムが３ＧＰＰ ＬＴＥ、ＬＴＥ−Ａシステムである場合を仮定して具体的に説明するが、３ＧＰＰ ＬＴＥ、ＬＴＥ−Ａの特有の事項を除けば他の任意の移動通信システムにも適用できる。
【００１８】
場合によっては、本発明の概念が曖昧になるのを避けるために、公知の構造及び装置は省略されたり、各構造及び装置の核心機能を中心にしたブロック図の形式で示されることもある。また、本明細書全体において同一の構成要素には同一の図面符号を使用して説明する。
【００１９】
なお、以下の説明において、端末は、ＵＥ(Ｕｓｅｒ Ｅｑｕｉｐｍｅｎｔ)、ＭＳ(Ｍｏｂｉｌｅ Ｓｔａｔｉｏｎ)、ＡＭＳ(Ａｄｖａｎｃｅｄ Ｍｏｂｉｌｅ Ｓｔａｔｉｏｎ)等、移動または固定型のユーザ端機器を総称すると仮定する。また、基地局は、Ｎｏｄｅ Ｂ、ｅＮｏｄｅ Ｂ、Ｂａｓｅ Ｓｔａｔｉｏｎ、ＡＰ(ａｃｃｅｓｓ Ｐｏｉｎｔ)など端末と通信するネットワーク端の任意のノードを総称すると仮定する。
【００２０】
移動通信システムにおいて、端末或いはユーザ機器(Ｕｓｅｒ Ｅｑｕｉｐｍｅｎｔ)は基地局から下りリンクにより情報を受信することができ、端末は上りリンクにより情報を送信することができる。端末が送信又は受信する情報としては、データ及び様々な制御情報があり、端末が送信又は受信する情報の種類用途によって様々な物理チャネルが存在する。
【００２１】
以下の技術は、ＣＤＭＡ(ｃｏｄｅ ｄｉｖｉｓｉｏｎ ｍｕｌｔｉｐｌｅ ａｃｃｅｓｓ)、ＦＤＭＡ(ｆｒｅｑｕｅｎｃｙ ｄｉｖｉｓｉｏｎ ｍｕｌｔｉｐｌｅ ａｃｃｅｓｓ)、ＴＤＭＡ(ｔｉｍｅ ｄｉｖｉｓｉｏｎ ｍｕｌｔｉｐｌｅ ａｃｃｅｓｓ)、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)などのような様々な無線接続システムに適用することができる。ＣＤＭＡは、ＵＴＲＡ(Ｕｎｉｖｅｒｓａｌ Ｔｅｒｒｅｓｔｒｉａｌ Ｒａｄｉｏ Ａｃｃｅｓｓ)やＣＤＭＡ２０００のような無線技術(ｒａｄｉｏ ｔｅｃｈｎｏｌｏｇｙ)によって具現することができる。ＴＤＭＡは、ＧＳＭ(Ｇｌｏｂａｌ Ｓｙｓｔｅｍ ｆｏｒ Ｍｏｂｉｌｅ ｃｏｍｍｕｎｉｃａｔｉｏｎｓ)／ＧＰＲＳ(Ｇｅｎｅｒａｌ Ｐａｃｋｅｔ Ｒａｄｉｏ Ｓｅｒｖｉｃｅ)／ＥＤＧＥ(Ｅｎｈａｎｃｅｄ Ｄａｔａ Ｒａｔｅｓ ｆｏｒ ＧＳＭ Ｅｖｏｌｕｔｉｏｎ)のような無線技術によって具現することができる。ＯＦＤＭＡは、ＩＥＥＥ ８０２．１１(Ｗｉ−Ｆｉ)、ＩＥＥＥ ８０２．１６(ＷｉＭＡＸ)、ＩＥＥＥ ８０２−２０、Ｅ−ＵＴＲＡ(Ｅｖｏｌｖｅｄ ＵＴＲＡ)などのような無線技術によって具現することができる。ＵＴＲＡはＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)の一部である。３ＧＰＰ ＬＴＥ(Ｌｏｎｇ Ｔｅｒｍ Ｅｖｏｌｕｔｉｏｎ)はＥ−ＵＴＲＡを用いるＥ−ＵＭＴＳ(Ｅｖｏｌｖｅｄ ＵＭＴＳ)の一部であり、下りリンクでＯＦＤＭＡを採用し、上りリンクでＳＣ−ＦＤＭＡを採用する。ＬＴＥ−Ａ(Ａｄｖａｎｃｅｄ)システムは３ＧＰＰ ＬＴＥシステムを改良したシステムである。
【００２２】
一方、以下の説明で使用される特定用語は、本発明の理解を助けるためも提供されたもので、これらの特定用語の使用は、本発明の技術的思想から逸脱しない範囲で他の形態に変更可能である。
【００２３】
図１は本発明の一例による無線通信システム１００における基地局１０５及び端末１１０の構成を示すブロック図である。
【００２４】
無線通信システム１００を簡略に示すために、１つの基地局１０５と１つの端末１１０を示したが、無線通信システム１００は１つ以上の基地局及び／又は１つ以上の端末を含む。
【００２５】
図１を参照すると、基地局１０５は、送信(Ｔｘ)データプロセッサ１１５、シンボル変調器１２０、送信器１２５、送受信アンテナ１３０、プロセッサ１８０、メモリ１８５、受信器１９０、シンボル復調器１９５及び受信データプロセッサ１９７を含む。そして、端末１１０は、送信(Ｔｘ)データプロセッサ１６５、シンボル変調器１７０、送信器１７５、送受信アンテナ１３５、プロセッサ１５５、メモリ１６０、受信器１４０、シンボル復調器１５５及び受信データプロセッサ１５０を含む。送受信アンテナ１３０、１３５は夫々基地局１０５及び端末１１０に１つが示されているが、基地局１０５及び端末１１０は複数の送受信アンテナを備えている。よって、本発明による基地局１０５及び端末１１０はＭＩＭＯ(Ｍｕｌｔｉｐｌｅ Ｉｎｐｕｔ Ｍｕｌｔｉｐｌｅ Ｏｕｔｐｕｔ)システムを支援する。また、本発明による基地局１０５はＳＵ−ＭＩＭＯ(Ｓｉｎｇｌｅ Ｕｓｅｒ−ＭＩＭＯ)ＭＵ−ＭＩＭＯ(Ｍｕｌｔｉ Ｕｓｅｒ−ＭＩＭＯ)方式を全て支援することができる。
【００２６】
下りリンク上で、送信データプロセッサ１１５はトラフィックデータを受信し、受信したトラフィックデータをフォーマットしてコードし、コードされたトラフィックデータをインタリーブして変調し(又はシンボルマッピングし)、変調シンボル(“データシンボル”)を提供する。シンボル変調器１２０はこのデータシンボルとパイロットシンボルを受信及び処理してシンボルのストリームを提供する。
【００２７】
シンボル変調器１２０は、データ及びパイロットシンボルを多重化し、これを送信器１２５に送信する。ここで、夫々の送信シンボルはデータシンボル、パイロットシンボル又はゼロの信号値であり得る。夫々のシンボル周期で、パイロットシンボルが連続して送信されることもできる。パイロットシンボルは周波数分割多重化(ＦＤＭ)、直交周波数分割多重化(ＯＦＤＭ)、時分割多重化(ＴＤＭ)又はコード分割多重化(ＣＤＭ)シンボルである。
【００２８】
送信器１２５はシンボルのストリームを受信し、これを１つ以上のアナログ信号に変換し、さらにこのアナログ信号を追加的に調節して(例えば、増幅、フィルタリング及び周波数アップカンバーティング(ｕｐｃｏｎｖｅｒｔｉｎｇ))して、無線チャネルを介した送信に適した下りリンク信号を発生させる。すると、送信アンテナ１３０は発生した下りリンク信号を端末に送信する。
【００２９】
端末１１０の構成において、受信アンテナ１３５は基地局からの下りリンク信号を受信し、受信された信号を受信器１４０に提供する。受信器１４０は受信された信号を調整し(例えば、フィルタリング、増幅、及び周波数ダウンカンバーティング(ｄｏｗｎｃｏｎｖｅｒｔｉｎｇ))、調整された信号をデジタル化してサンプルを獲得する。シンボル復調器１４５は受信されたパイロットシンボルを復調し、チャネル推定のためにこれをプロセッサ１５５に提供する。
【００３０】
また、シンボル復調器１４５はプロセッサ１５５から下りリンクに対する周波数応答推定値を受信し、受信されたデータシンボルに対してデータ復調を行って(送信されたデータシンボルの推定値である)データシンボル推定値を獲得し、データシンボル推定値を受信(Ｒｘ)データプロセッサ１５０に提供する。受信データプロセッサ１５０はデータシンボル推定値を復調(即ち、シンボルデマッピング(ｄｅｍａｐｐｉｎｇ))し、デインタリーブ(ｄｅｉｎｔｅｒｌｅａｖｉｎｇ)し、デコードして送信トラフィックデータを復旧する。
【００３１】
シンボル復調器１４５及び受信データプロセッサ１５０による処理は夫々基地局１０５でのシンボル変調器１２０及び送信データプロセッサ１１５による処理に対して相補的である。
【００３２】
端末１１０は上りリンク上で、送信データプロセッサ１６５はトラフィックデータを処理してデータシンボルを提供する。シンボル変調器１７０はデータシンボルを受信して多重化し、変調を行い、シンボルのストリームを送信器１７５に提供することができる。送信器１７５はシンボルのストリームを受信及び処理して上りリンク信号を発生させる。そして、送信アンテナ１３５は発生した上りリンク信号を基地局１０５に送信する。
【００３３】
基地局１０５で、端末１１０から上りリンク信号が受信アンテナ１３０を介して受信され、受信器１９０は受信した上りリンク信号を処理してサンプルを獲得する。次いで、シンボル復調器１９５はこのサンプルを処理し、上りリンクに対して受信されたパイロットシンボル及びデータシンボル推定値を提供する。受信データプロセッサ１９７はデータシンボル推定値を処理し、端末１１０から送信されたトラフィックデータを復旧する。
【００３４】
端末１１０及び基地局１０５の夫々のプロセッサ１５５、１８０は夫々端末１１０及び基地局１０５での動作を指示(例えば、制御、調整、管理など)する。夫々のプロセッサ１５５、１８０はプログラムコード及びデータを保存するメモリユニット１６０、１８５と連結されることができる。メモリ１６０、１８５はプロセッサ１８０に連結され、オペレーティングシステム、アプリケーション、及び一般ファイル(ｇｅｎｅｒａｌ ｆｉｌｅｓ)を保存する。送信器及び受信器はＲＦ ｕｎｉｔで構成される。
【００３５】
プロセッサ１５５、１８０はコントローラー(ｃｏｎｔｒｏｌｌｅｒ)、マイクロコントローラー(ｍｉｃｒｏｃｏｎｔｒｏｌｌｅｒ)、マイクロプロセッサ(ｍｉｃｒｏｐｒｏｃｅｓｓｏｒ)、マイクロコンピューター(ｍｉｃｒｏｃｏｍｐｕｔｅｒ)などとも言える。一方、プロセッサ１５５、１８０はハードウェア(ｈａｒｄｗａｒｅ)又はファームウエア(ｆｉｒｍｗａｒｅ)、ソフトウェア、又はこれらの組合せによって実現されることができる。ハードウェアを用いて本発明の実施例を実現する場合には、本発明を実行するように構成されたＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)又はＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)などがプロセッサ１５５、１８０に備えられることができる。
【００３６】
一方、ファームウエア又はソフトウェアを用いて本発明の実施例を具現する場合には、本発明の機能又は動作を行うモジュール、過程又は関数などを含むようにファームウエア又はソフトウェアが構成されることができ、本発明を実行するように構成されたファームウエア又はソフトウェアはプロセッサ１５５、１８０内に備えられるとかメモリ１６０、１８５に保存されてプロセッサ１５５、１８０によって駆動されることができる。
【００３７】
端末と基地局の無線通信システム(ネットワーク)間の無線インターフェースプロトコルのレイヤーは通信システムでよく知られたＯＳＩ(ｏｐｅｎ ｓｙｓｔｅｍ ｉｎｔｅｒｃｏｎｎｅｃｔｉｏｎ)モデルの下位３個レイヤーに基づいて第１レイヤーＬ１、第２レイヤーＬ２及び第３レイヤーＬ３に分類されることができる。物理レイヤーは前記第１レイヤーに属し、物理チャネルを介して情報送信サービスを提供する。ＲＲＣ(Ｒａｄｉｏ Ｒｅｓｏｕｒｃｅ Ｃｏｎｔｒｏｌ)レイヤーは前記第３レイヤーに属し、ＵＥとネットワーク間の制御無線リソースを提供する。端末、基地局は無線通信ネットワークとＲＲＣレイヤーを介してＲＲＣメッセージを交換することができる。
【００３８】
この明細書において、端末のプロセッサ１５５と基地局のプロセッサ１８０は各々端末１１０及び基地局１０５が信号を送受信する機能及び貯蔵機能などを除いて、信号及びデータを処理する動作を行うが、以下では説明の便宜上、特にプロセッサ１５５，１８０について言及しない。特にプロセッサ１５５，１８０について言及しなくても、信号を送受信する機能及び貯蔵機能ではない、データ処理などの一連の動作を行っているといえる。
【００３９】
アナログビーム形成(Ａｎａｌｏｇ ｂｅａｍｆｏｒｍｉｎｇ)
【００４０】
ミリ波(Ｍｉｌｌｉｍｅｔｅｒ Ｗａｖｅ、ｍｍＷ)では波長が短いので、同一面積に多数のアンテナ要素(ｅｌｅｍｅｎｔ)の設置が可能である。即ち、３０ＧＨｚ帯域において波長は１ｃｍであるので、５＊５ｃｍのパネルに０．５ｌａｍｂｄａ(波長)間隔で２次元(２−ｄｉｍｅｎｓｉｏｎ)配列する場合、総１００個のアンテナ要素を設けることができる。これにより、ミリ波(ｍｍＷ)では多数のアンテナ要素を使用してビーム形成(ｂｅａｍｆｏｒｍｉｎｇ、ＢＦ)利得を上げてカバレッジを増加させるか、或いはスループット(ｔｈｒｏｕｇｈｐｕｔ)を向上させることができる。
【００４１】
この時、アンテナ要素ごとに伝送パワー及び位相の調節ができるように、各々のアンテナ要素はＴＸＲＵ(ｔｒａｎｓｃｅｉｖｅｒ)を含む。これにより、各々のアンテナ要素は周波数リソースごとに独立的なビーム形成を行うことができる。しかし、１００余個の全てのアンテナ要素にＴＸＲＵを設けることは費用面で実効性が乏しい。従って、１つのＴＸＲＵに多数のアンテナ要素をマッピングし、アナログ位相シフター(ａｎａｌｏｇ ｐｈａｓｅ ｓｈｉｆｔｅｒ)でビーム方向を調節する方式が考えられている。かかるアナログビーム形成方式では全帯域において１つのビーム方向のみを形成できるので、周波数選択的なビーム形成が難しいという短所がある。
【００４２】
デジタルビーム形成(Digital BF)及びアナログビーム形成(analog BF)の中間形態として、Ｑ個のアンテナ要素より少ない数のＢ個のＴＸＲＵを有するハイブリッドビーム形成(ｈｙｂｒｉｄ ＢＦ)が考えられる。この場合、Ｂ個のＴＸＲＵとＱ個のアンテナ要素の連結方式によって差はあるが、同時に伝送可能なビームの方向はＢ個以下に制限される。
【００４３】
以下、３ＧＰＰ ＬＴＥ／ＬＴＥ−Ａシステムにおけるページング(Ｐａｇｉｎｇ)について簡略に説明する。
【００４４】
ページング手順(ｐａｇｉｎｇ ｐｒｏｃｅｄｕｒｅ)は、ネットワークがＲＲＣ_ＩＤＬＥモードである端末にページング情報を送信するために用いられる。又はページング手順は、ネットワークがＲＲＣ_ＩＤＬＥ／ＲＲＣ_ＣＯＮＮＥＣＴＥＤモードの端末にシステム情報変更を知らせるために用いられる。又はページング手順は、ネットワークがＲＲＣ_ＩＤＬＥ／ＲＲＣ_ＣＯＮＮＥＣＴＥＤモードの端末にＥＴＷＳプライマリ通知(Ｐｒｉｍａｒｙ ｎｏｔｉｆｉｃａｔｉｏｎ)及び／又はＥＴＷＳセカンダリ通知(Ｓｅｃｏｎｄａｒｙ ｎｏｔｉｆｉｃａｔｉｏｎ)を知らせるために用いられる。又はページング手順は、ネットワークがＲＲＣ_ＩＤＬＥ／ＲＲＣ_ＣＯＮＮＥＣＴＥＤモードの端末にＣＭＡＳ通知(ＣＭＡＳ ｎｏｔｉｆｉｃａｔｉｏｎ)を知らせるために用いられる。
【００４５】
以下、ＰＯ(Ｐａｇｉｎｇ Ｏｃｃａｓｉｏｎ)について説明する。
【００４６】
端末の電力消耗を最小化するために、端末の不連続受信(ｄｉｓｃｏｎｔｉｎｕｏｕｓ ｒｅｃｅｐｔｉｏｎ、ＤＲＸ)技法が定義される。ＤＲＸを使用する端末は、毎ページングサイクル(即ち、ＤＲＸ ｃｙｃｌｅ)ごとに１回のＰＯでのみページングメッセージが送信されているか否かをモニタすることができる。１つのページングフレーム(Ｐａｇｉｎｇ Ｆｒａｍｅ、ＰＦ)は１つ以上のＰＯを含む１つの無線フレームを意味する。１つのＰＯはページングメッセージをアドレス(ａｄｄｒｅｓｓｉｎｇ)するＰＤＣＣＨ上に送信されるＰ−ＲＮＴＩが存在する１つのサブフレームを意味する。即ち、ＰＯは端末がページングメッセージをチェックするＰＦ内の特定サブフレームであると定義されることができる。
【００４７】
ＰＦ及びＰＯは端末のＩＭＳＩ及びＤＲＸ値を用いて決定される。端末は自分のＩＭＳＩ及びＤＲＸ値を用いてＰＦ及びＰＯを計算する。また基地局はＭＭＥからのＩＭＳＩ値により端末ごとにＰＦ及びＰＯを計算することができる。
【００４８】
ＤＲＸパラメータ(即ち、ページング／ＰＣＣＨ構成情報)は、共通無線リソース設定を特定するために使用されるＲＲＣメッセージである共通無線リソース設定('ＲａｄｉｏＲｅｓｏｕｒｃｅＣｏｎｆｉｇＣｏｍｍｏｎ')ＩＥに含まれて送信される。共通無線リソース設定ＩＥは、ＲＲＣ連結再設定(ＲＲＣ Ｃｏｎｎｅｃｔｉｏｎ Ｒｅｃｏｎｆｉｇｕｒａｔｉｏｎ)メッセージ又はシステム情報(ＳI)メッセージのようなＲＲＣメッセージにより送信される。ＳＩメッセージは１つ以上のＳＩＢを送信するために使用されるメッセージである。
【００４９】
以下の表１はページングに関する内容を説明する表である。
【００５０】
【表１】
0006829324.tif 000002
【００５１】
以下の表２乃至表５は各々ページングに関連するサブフレームパターンを説明する表である。
【００５２】
表２及び表３はＦＤＤの場合にページングに関連するサブフレームパターンを表す。
【００５３】
Ｐ−ＲＮＴＩがＰＤＣＣＨ上で送信されると、又はＰ−ＲＮＴＩが３ＭＨｚより大きいシステム帯域幅におけるＭＰＤＣＣＨ上で送信されると、ＰＯは以下の表２の通りである。
【００５４】
【表２】
0006829324.tif 000003
【００５５】
Ｐ−ＲＮＴＩが１．４ＭＨｚ及び３ＭＨｚのシステム帯域幅におけるＭＰＤＣＣＨ上で送信されると、ＰＯは以下の表３の通りである。
【００５６】
【表３】
0006829324.tif 000004
【００５７】
表４及び表５はＴＤＤ(ａｌｌ ＵＬがｃｏｎｆｉｇｕｒａｔｉｏｎｓ)の場合にページングに関連するサブフレームパターンを表す。
【００５８】
Ｐ−ＲＮＴＩがＰＤＣＣＨ上で送信されると、又はＰ−ＲＮＴＩが３ＭＨｚより大きいシステム帯域幅におけるＭＰＤＣＣＨ上で送信されると、ＰＯは以下の表４の通りである。
【００５９】
【表４】
0006829324.tif 000005
【００６０】
Ｐ−ＲＮＴＩが１．４ＭＨｚ及び３ＭＨｚのステム帯域幅におけるＭＰＤＣＣＨ上で送信されると、ＰＯは以下の表５の通りである。
【００６１】
【表５】
0006829324.tif 000006
【００６２】
以下の表６は拡張ＤＲＸにおけるページングに関する内容を説明している。
【００６３】
【表６】
0006829324.tif 000007
【００６４】
以下の表７はＤＣＩフォーマット６−２を説明する表である。
【００６５】
【表７】
0006829324.tif 000008
【００６６】
図２はＰＦ及びＰＯの一例を示す図である。
【００６７】
図２を参照すると、１つのＤＴＸサイクル内には複数のＰＦを構成できる。また、１つのＰＦには複数のＰＯを構成できる。
【００６８】
以下、ＮＲページングについて説明する。
【００６９】
図３はＮＲにおけるページング手順を例示する図である。
【００７０】
図３を参照すると、端末はＴＲＰ或いは基地局のセル(ｔｈｅ ＴＲＰ ｏｒ ｔｈｅ ｃｅｌｌ ｏｆ ｔｈｅ ｅＮＢ)と下りリンク同期化を行う(Ｓ２１０)。端末は基地局からＭＩＢ及び／又はＳＩＢを受信する。ＭＩＢ及び／又はＳＩＢはＳＦＮ(Ｓｙｓｔｅｍ Ｆｒａｍｅ Ｎｕｍｂｅｒ)及びｈｙｐｅｒ ＳＦＮをシグナリング(或いは指示)する。本発明において、ページング指示子(Ｐａｇｉｎｇ Ｉｎｄｉｃａｔｏｒ、ＰＩ)は端末を起動する(ｗａｋｅ−ｕｐ)信号に該当する。
【００７１】
端末はページング指示子(Ｐａｇｉｎｇ Ｉｎｄｉｃａｔｏｒ、ＰＩ)或いはページングメッセージを受信するために、ページングチャネルをモニタするページング間隔(ｐａｇｉｎｇ ｉｎｔｅｒｖａｌ)を計算する。ページング間隔はＵＥ ＩＤ及び／又は選択されたビームインデックス(例えば、＃２)に基づいて計算されたＰＯ、ページング時間ウィンドウ、ページング(無線)フレーム及び／又はページングハイパーフレーム(ｈｙｐｅｒ ｆｒａｍｅ)である。ページング間隔はＵＥ ＩＤに基づいて計算される。ＰＩはＰＤＣＣＨ上におけるＰ−ＲＮＴＩのようにＲＮＴＩであることができる。ページングメッセージはＰＤＳＣＨ上で送信される。
【００７２】
基地局(ｅＮＢ)は基地局がアンテナビームを全部又は部分的にスイープする(Ｓｗｅｅｐ)ページング間隔で多重ビームを送信する(Ｓ２２０)。異なるビームは異なる時間間隔(例えば、ＢＲＳ(Ｂｅａｍ Ｒｅｆｅｒｅｎｃｅ Ｓｉｇｎａｌ)に伴うシンボル又はサブフレーム)で送信される。これらのビームはＵＥグループ、ＵＥ識別子のグループ、特定タイプのＵＥ(例えば、遅延許容装置又は車両ＵＥ)、特定ＵＥのカテゴリー、特定サービス、サービスグループを示すＰＩを送信する。またＰＩはどのビームインデックスがフィードバックに含まれるかを示すことができる。
【００７３】
端末は異なる時間間隔で異なるビームを受信することにより各ビームの品質を測定する(Ｓ２３０)。端末は全てのビームのうち、最高の測定品質を提供するビームを選択する。そのために、端末は測定された品質が臨界値以上であるビームを選択する(Ｓ２３０)。
【００７４】
端末がモニタするＰＯでＰＩが受信され、及び／又はＰＩが端末のページングのためのものであれば、端末はフィードバックを基地局に送る(Ｓ２４０)。フィードバックは選択されたビームのビームインデックスを示す。フィードバックは以下のオプションのうちの１つにより送信できる。
【００７５】
オプション１:ランダムアクセスプリアンブル、ランダムアクセスプリアンブルのセット又はランダムアクセスリソースは、選択されたビームを指示する。ビームとランダムアクセスプリアンブル、ランダムアクセスプリアンブルのセット又はランダムアクセスリソースの間のマッピングは、基地局からのシステム情報により端末にシグナリングされる。
【００７６】
オプション２:フィードバックは選択されたビームインデックスと端末のＩＤが含まれたＭＡＣ制御要素(ＭＡＣ ｃｏｎｔｒｏｌ Ｅｌｅｍｅｎｔ)である。
【００７７】
オプション３:フィードバックは選択されたビームインデックスと端末のＩＤが含まれたＲＲＣメッセージである。ＲＲＣ接続設定の手順、ＲＲＣ接続再開の手順、ＲＲＣ接続再設定の手順又はＲＲＣセル更新の手順のうち、ＲＲＣメッセージが送信される。ＲＲＣメッセージはＲＲＣ接続要請メッセージ、ＲＲＣ接続再設定要請メッセージ、ＲＲＣ接続再開要請メッセージ又はセル更新メッセージである。
【００７８】
端末はフィードバックを送信した後、タイマーを開始する。フィードバックは選択されたビームにより送信される。
【００７９】
基地局は選択されたビームのビームインデックスを含むフィードバックを受信すると(Ｓ２４０)、基地局は端末ＩＤ及び／又はビームインデックスに基づいて計算されたＰＯに選択されたビームによりページングメッセージを該当端末に送信する(Ｓ２５０)。フィードバックの送信後、一定期間の間に端末は選択されたビームが送信されるＰＯの全体又は一部で選択されたビームのみをモニタする(Ｓ２６０)。即ち、端末はタイマーが満了するまで選択されたビームのみをモニタする。端末は基地局からシステム情報によりタイマー値を受信する。上記期間の間に端末ＩＤを含むページングメッセージが受信されないと、タイマーが満了するまで端末はページング間隔又はＰＯで全てのビームをモニタする。
【００８０】
以下の表８はＮＲにおけるページングに関連するＲＡＮ２の標準事項を説明している。
【００８１】
【表８】
0006829324.tif 000009
【００８２】
以下、ＮＲにおけるページング送信に関連して、本出願人がＲＡＮ１＃８８ｍｅｅｔｉｎｇに提出した寄稿について説明する。以下の表９及び表１０は本出願人の寄稿の内容である。
【００８３】
【表９】
0006829324.tif 000010
【００８４】
図４はマルチ−ビーム基盤の動作に伴うページングの一例を示す図である。
【００８５】
マルチビーム基盤の動作に伴うＮＲシステムにおいて、以下の表１０に記載の２つのオプションがページングメッセージ送信のために考えられる。
【００８６】
【表１０】
0006829324.tif 000011
【００８７】
また、以下の表１１はビームスイーピングされるページングＤＣＩ(Ｄｏｗｎｌｉｎｋ ｃｏｎｔｒｏｌ Ｉｎｆｏｒｍａｔｉｏｎ)或いはＰＩに関連して、本出願人が３ＧＰＰ ＲＡＮ１ Ｊａｎ. Ａｄｈｏｃ ｍｅｅｔｉｎｇに提出した寄稿の内容である。
【００８８】
【表１１】
0006829324.tif 000012
【００８９】
ページング上におけるフィードバックメカニズム(ｆｅｅｄｂａｃｋ ｍｅｃｈａｎｉｓｍ ｏｎ ｔｈｅ ｐａｇｉｎｇ)
【００９０】
ＲＲＣ休止或いはＲＲＣ非活性モードの端末は、電力節約のためにＤＲＸモードになっているが、ページングを受信するための起動時点についてＤＲＸモードの前にネットワーク(例えば、基地局)からシグナリングされる。ＬＴＥシステムでは、上述したように、ＰＯ(Ｐａｇｉｎｇ Ｏｃｃａｓｉｏｎ)とＰＦ(Ｐａｇｉｎｇ Ｆｒａｍｅ)が指定される。ＮＲで変化する部分は、マルチビーム環境におけるビーム形成の影響により、１つのＰＯ内に複数のスロットが存在する点である。かかる内容が表９に記載されているが、以下、関連内容について再度説明する。
【００９１】
ＰＯはマルチ時間スロット(例えば、サブフレーム又はＯＦＤＭシンボル)で構成される。ＰＯにおいて、時間スロットの数はシステム情報により構成される。ネットワークは各時間スロットにおいて下りリンク送信ビームの他のセットを用いるか又は繰り返してページングを送信する。ページングがビームスイーピングを用いて送信される時、ページングメッセージ又はＰＩが用いられる。
【００９２】
ＬＴＥシステムにおいて、端末はＰＯでページングＤＣＩ(ページングＤＣＩはＤＣＩ’などと呼ばれる)を受信／復号する場合、該当ＰＯでページングメッセージも受信する。しかし、ＮＲにおいて、端末が特定のＰＯでページングＤＣＩを受信し、該特定のＰＯでページングメッセージまで受信すると、ネットワークは該特定のＰＯでページングＤＣＩとページングメッセージをビームスイーピング方式で送信しなければならないことを意味する。従って、ＰＯの時間単位長さが長くなり、ネットワークの立場では、ネットワークのページングチャネルに対するビームスイーピング動作によって下りリンクリソースが浪費されることがある。
【００９３】
従って、本発明では、ページングを受信する端末の観点で、端末はＰＯでページングＤＣＩを受信／復号することができ、ページングメッセージは必ずページングＤＣＩが送信されたＰＯで送信される必要はない。より効率的なリソース運用のために、ページングＤＣＩは上述したように、ビームスイーピングされて送信される。ＰＯが多数のスロット(或いは時間スロット)で構成される時、端末は該当ＰＯで指示されたスロット長さ単位でページングＤＣＩに対するブラインド復号を行う。但し、休止(ｉｄｌｅ)或いは非活性モードにおいて、端末がページングを受信するためには、最初に時間-周波数の獲得(ｔｉｍｅ−ｆｒｅｑｕｅｎｃｙ ａｃｑｕｉｓｉｔｉｏｎ)及びビーム獲得を優先して行わなければならないので、端末はＳＳ(Ｓｙｎｃｈｒｏｎｉｚａｔｉｏｎ Ｓｉｇｎａｌ)送信時点に合わせてＰＯ前に予め起動してビームスイーピングされるＳＳ ｂｌｏｃｋに対する測定を行う。端末は最高の品質で受信されるＳＳ ｂｌｏｃｋインデックスを決定する。ＰＯで送信されるページングＤＣＩ及びページングメッセージもＳＳ ｂｌｏｃｋが送信されるビームパターンと同じパターンで送信されるので、最高の品質で受信されるＳＳ ｂｌｏｃｋインデックスを決定した端末は、自分が復号すべきＰＯ内のスロット及びページングのビーム方向を決定することができる。
【００９４】
ＰＯでページングＤＣＩとページングメッセージがビームスイーピングされることができる。即ち、端末はＰＯでページングＤＣＩ或いは後述するＰＩを受信し、端末のページングメッセージの受信はＰＯで受信したページングＤＣＩ或いはＰＩに基づいて行われる。ここで、ＰＩは端末を起動する１種の起動信号(ｗａｋｅ ｕｐ ｓｉｇｎａｌ)と理解できる。従って、ＰＩにおいて自分の端末ＩＤに関する情報が検出されると、端末は自分へのデータがあることを認知して、節電モード(ｓｌｅｅｐ ｍｏｄｅ)或いはＤＲＸモードから起動してデータ受信を準備する。該当ＰＩは該当端末をして上りリンクへの特定情報の送信をトリガーする信号である。例えば、端末は該当ＰＩに対してＡＣＫ信号或いはランダムアクセスプリアンブルなどの信号を送信することができる。該当端末からの信号受信により、基地局(ｇＮＢ)はターゲット端末の位置を確認することができ、基地局は該当方向にのみ送信するページングメッセージを送信する。この時、該当方向にのみ送信するページングメッセージは、これを復号するためのＤＣＩ送信を伴うことができる。
【００９５】
ページング指示子(ＰＩ)の設計方式１−ページングＤＣＩ内のＰＩ
【００９６】
以下、ＰＩ設計及び端末のＰＩ検出方式を提案する。ＰＩにより特定の端末、特定の端末グループ或いは特定のビーム(又はビームグループ)の端末をして上りリンク信号送信を命令することができる。
【００９７】
ページングＤＣＩを用いたＰＩ送信方式は、端末ＩＤごとのＰ−ＲＮＴＩ或いは端末ＩＤグループごとのＰ−ＲＮＴＩを使用して端末或いは端末グループを特定する。即ち、１つのシステムにおいて、複数のＰ−ＲＮＴＩ(Ｐａｇｉｎｇ−ＲＮＴＩ)が存在し、１つのＰＯ内の各々のスロットごとに(ページングＤＣＩが時間分割多重化(ＴＤＭ)される)、或いはＰＯの１つのスロット内に(ページングＤＣＩが周波数分割多重化(ＦＤＭ)される)複数のページングＤＣＩが送信され、各ページングＤＣＩは互いに異なるＰ−ＲＮＴＩにＣＲＣカバーリングされて送信されることができる。端末はページングＤＣＩを受信する時、休止モード或いは非活性モードにおける自分の(臨時)ＩＤを用いて自分のＰ−ＲＮＴＩを類推することができる。ＬＴＥシステムにおいて、端末は以下のように自分のＩＤを用いて以下の数１によりＰＯを分かることができる。
【００９８】
【数１】
0006829324.tif 000013
【００９９】
同様に本発明において、端末は自分のＩＤを用いてＰＯだけではなくＰ−ＲＮＴＩを類推することができる。該当Ｐ−ＲＮＴＩを用いて復号したページングＤＣＩ内のＰＩ Ｆｉｅｌｄにおいて何回目のＰＩに該当するか、又は特定のＰＩ内において何回目のビットが自分に割り当てられた指示子ビットであるかを類推することができる。端末がかかる情報を類推できるように、即ち、ページングＤＣＩ内のＰＩ ＦｉｅｌｄにおけるＵＥ位置及びＵＥグルーピング情報を類推できる必要情報を基地局がＵＥに予め送信する必要がある。
【０１００】
より詳しくは、各々のページングＤＣＩにはＰＩ Ｆｉｅｌｄが存在する。１つのページングＤＣＩ内に複数のＰＩが存在することができ、基地局はＰＩによりページングＤＣＩに対するフィードバックを送信する端末を特定することができる。即ち、基地局はＰ−ＲＮＴＩを用いて端末をグルーピングし、グルーピングされた端末をＰＩ及びＰＩのビットフィールドにより端末をサブグルーピング及び特定することができる。ＰＩは以下の実施例のようにビットマップで構成できる。
【０１０１】
図５はページングＤＣＩを構成する一部フィールドを例示する図である。１つのページングＤＣＩに複数のＰＩ Ｆｉｅｌｄ(ＰＩ ０,...、ＰＩ Ｎ)が存在する。１つのＰＩは特定のＰ−ＲＮＴＩ内で端末をサブグルーピングする役割を果たす。
【０１０２】
図６はＰＩにおけるビットマップを例示する図である。
【０１０３】
各ＰＩのビットは、図６の実施例のように特定の端末を示す。１つのページングＤＣＩに含まれるＰＩ数及びＰＩごとの端末数は予め設定される。端末は特定のＰ−ＲＮＴＩ内において、あるＰＩに属する何回目のビットが自分を呼び出すビットであるかを自分の端末ＩＤを用いて類推する必要がある。図６の実施例において、ＰＩ Ｆｉｅｌｄの各ビットは１つの端末を特定して指定すると示されているが、特定の端末グループを特定或いは指定することもできる。
【０１０４】
ページング指示子(ＰＩ)の設計方式１では、端末のＰＯ内のページングＤＣＩモニタリング／検出単位がＰＯを構成する複数のスロット単位である時、端末は各スロット単位でページングＤＣＩ検出を試みる。端末がページングＤＣＩ検出を行う時間単位及び検索空間(Ｓｅａｒｃｈ ｓｐａｃｅ)は、予めネットワークシグナリングにより設定される。
【０１０５】
ページング指示子(ＰＩ)の設計方式２−ＰＩシーケンス送信
【０１０６】
基地局がページングＤＣＩの特定フィールドにＰＩを含めて送信する方式とは異なり、基地局はＰＩを特定シーケンスで送信することができる。ＰＩシーケンス送信方式のために、ネットワークは端末ごとにＰＩシーケンスが個々に与えることができる。ＰＩとして使用される全体シーケンスセットが定義される必要があり、該当シーケンスセットのうち、特定シーケンスが各端末に予め割り当てられる。端末はネットワークから与えられた該当シーケンスを用いてＰＯでＰＩ検出を行う。１つのＰＯを構成する複数のスロットがある時、ＰＯ内の各スロットで複数のＰＩが送信されることができる。この場合、ネットワークは端末をグルーピングし、各端末グループごとにＰＩ検出を行う周波数(例えば、サブバンド、ＢＷＰ(ＢａｎｄＷｉｄｔｈ Ｐａｒｔ)など)を指定する。即ち、ＰＯ内の各スロットで複数のＰＩが周波数分割多重化されて送信されることができる。ＰＩシーケンスは相互相関(ｃｒｏｓｓ ｃｏｒｒｅｌａｔｉｏｎ)性能のよいシーケンスを１つのグループとすることができる。端末は自分のＩＤを用いて該当時点で自分に与えられるＰＩシーケンスを誘導する必要がある。また端末は該当ＰＩシーケンスが送信される周波数(例えば、サブバンド)に関する情報も端末ＩＤを用いて誘導することができる。また端末は自分のＩＤを用いてＰＩシーケンスを誘導し、ＰＩシーケンスごと(或いはＰＩシーケンスグループごと)の周波数(例えば、サブバンド)は予め設定され、端末は予め設定されたＰＩシーケンスごとの周波数に関する情報を用いることができる。
【０１０７】
端末はＰＩシーケンスが送信される該当周波数(例えば、サブバンド)でＰＩ検出を行う。端末は端末自分に与えられたＰＩシーケンスが検出されると、これに対するフィードバックを上りリンクにネットワークにより送信する。ＰＩは端末ごとに静的(Ｓｔａｔｉｃ)に与えられる。又は、ＰＩはＰＯのサブフレーム或いはスロットインデックス、ＳＦＮ或いはＰＦインデックス、Ｐ−ＲＮＴＩ、また端末のＩＤ、或いは端末ＩＤグループ或いはビームＩＤの関数からなり、端末は自分に与えられた端末ＩＤ(端末ＩＤグループ或いはビームＩＤ)、Ｐ−ＲＮＴＩとＰＯを受信した時点の関数からＰＩを導き出してＰＩ検出を行う。
【０１０８】
ページング指示子(ＰＩ)の設計方式２では、ＰＯ内のＰＩ検出単位が複数のスロットで構成される時、端末は各スロット単位でＰＩ検出を行う。端末がＰＩ検出を行う時間単位及び検索空間は、予めネットワークシグナリングにより設定される。
【０１０９】
ページングメッセージ検索(ｒｅｔｒｉｅｖａｌ)のＣｏｎｆｉｇｕｒａｂｉｌｉｔｙ
【０１１０】
ページングメッセージを伝達する方式は大きく以下の２つに分けられる。
【０１１１】
方式１）ページングＤＣＩ／ページングメッセージ送信方式
【０１１２】
基地局がＰＯにページングＤＣＩとページングメッセージを送信する方式である。又は、基地局がＰＯにページングＤＣＩを送信し、ページングメッセージはページングＤＣＩ内の情報によってＰＯ以外の他の時間／周波数リソースで送信されることができる。端末はＰＯでページングＤＣＩをブラインド検出する。
【０１１３】
方式２）ページング指示(ｐａｇｉｎｇ Ｉｎｄｉｃａｔｉｏｎ)送信方式
【０１１４】
ＰＩ(Ｐａｇｉｎｇ Ｉｎｄｉｃａｔｉｏｎ)がＰＯで送信され、下りリンクへのページングメッセージは端末から上りリンクフィードバックによりトリガーされる。ネットワークが特定端末或いは端末グループを起動するＰＩを送信し、該当ＰＩを受信したターゲット端末／端末グループは所定のリソースに上りリンクフィードバックを送信する。この場合、フィードバックはＡＣＫシグナリング或いは別に割り当てたプリアンブルシーケンス／時間／周波数リソースを用いることができる。
【０１１５】
ネットワークは端末をページングするにおいて、上述した２つのページングメッセージ送信方式を全て支援することができる。即ち、ネットワークはＰＯにページングＤＣＩ(ページングメッセージを有して或いはページングメッセージ無しに)を送る方式とは別のページング物理チャネル(例えば、ＰＩシーケンス)を送信することができる。ネットワークは端末をページングするにおいて、方式１と方式２のうち、どの方式で送信するかを予め端末にシグナリングすることができる。端末は方式１を使用するというシグナリングを受けた場合、特定或いは全てのＰＯでページングＤＣＩに対する検出を行う。端末はネットワークから方式２を使用してページングメッセージを送信するというシグナリングを受けた場合は、該当ＰＯでＰＩ検出を行う。ネットワークはページングメッセージのサイズが大きい場合、即ち、ページングメッセージが一定サイズ(例えば、Ｌビット)以上である場合、ネットワークはＰＩシーケンス方式、或いはページングＤＣＩ内のＰＩ情報を含む方式で端末からの上りリンクフィードバックをトリガーすることができる。ページングＤＣＩが検出されるか、又はＰＩシーケンスが検出された場合、端末は上述した動作を行う。
【０１１６】
ＰＩにおける上りリンクフィードバック(ＵＬ ｆｅｅｄｂａｃｋ ｏｎ ｔｈｅ ＰＩ)
【０１１７】
基地局がＰＩを送信することにより端末の上りリンク送信をトリガーする場合、端末の上りリンク信号送信のために使用するリソースは以下のように設定される。
【０１１８】
上りリンクフィードバックリソースの割り当て方式１) 端末は上りリンクフィードバック送信のために、ランダムアクセスリソースを使用する。この場合、ＰＩに対する応答としての上りリンクフィードバック送信のために、別のプリアンブル及び／又は周波数リソースが割り当てられることができる。端末ごと或いは端末グループごとに各々プリアンブルが割り当てられる。端末或いは端末グループごとに個々にＰ−ＲＮＴＩが割り当てられる。即ち、システム内に複数のページング端末グループが存在することができる。各ページング端末グループ当たり１つ以上の端末が含まれることができる。ページング端末グループごと、即ち、Ｐ−ＲＮＴＩごとにＰＩ(例えば、シーケンス又はビットフィールド)が指定され、Ｐ−ＲＮＴＩごとに上りリンクフィードバックのために使用するリソースが各々割り当てられることができる。Ｐ−ＲＮＴＩごとのリソース割り当ては以下のように行われる。
【０１１９】
−Ｐ−ＲＮＴＩごとに(ＲＡＣＨ)プリアンブル及び時間／周波数が割り当てられる(即ち、Ｐ−ＲＮＴＩごとにプリアンブル／時間／周波数リソースが割り当てられる)。
【０１２０】
−Ｐ−ＲＮＴＩごとのプリアンブル割り当て、ページングフィードバックのためのプリアンブルを送信する時間／周波数は、セルごと、或いはページングゾーンごとに割り当てられる(即ち、Ｐ−ＲＮＴＩごとの時間／周波数割り当てではなく、複数のページンググループが時間／周波数リソースを共有)
【０１２１】
−ページングフィードバックのためのプリアンブルは、セルごと或いはページングゾーンごとに割り当て(即ち、複数のページンググループがプリアンブルを共有)、プリアンブルを送信する時間／周波数はページンググループごと／Ｐ−ＲＮＴＩごとに各々割り当てられる。
【０１２２】
自分のＰＩを検出した端末は、一定時間内(これをフィードバックウィンドウという)に上りリンクに信号を送信しなければならない。ネットワークはページング設定(ｐａｇｉｎｇ ｃｏｎｆｉｇｕｒａｔｉｏｎ)をシグナリングする時、該当フィードバックウィンドウと共にシグナルすることができる。フィードバックウィンドウに設定されて一定区間を指示することができ、或いは特定時点、例えば、ｍスロット以後の値に指示されることもできる。
【０１２３】
また、端末は該当フィードバックを上りリンクに送信した後、ページングメッセージ受信のために特にＤＣＩ検出を行う。端末が該当ＤＣＩ検出を行う時間区間、即ち、応答ウィンドウ(Ｒｅｓｐｏｎｓｅ Ｗｉｎｄｏｗ)はネットワークが特に設定することができ、端末にシグナリングすることができる。端末はフィードバックの送信後、応答ウィンドウ時間区間の間にページングメッセージ受信のためのＤＣＩモニタリングを行う。端末は該当応答ウィンドウ時間の間にＤＣＩ検出を行う。該当応答ウィンドウはＰＯとは異なる別の時間区間である。
【０１２４】
端末は該当ＤＣＩもページングＤＣＩと呼ぶことができるが、この場合のページングＤＣＩはＰＯで送信されるページングＤＣＩとは異なり、ビームスイーピングされないことができ、端末がＤＣＩ検出のためにモニタする時間単位(例えば、スロット長さ)も異なることができる。従って、説明の便宜のために、ＰＯで送信されるページングＤＣＩを第１ページングＤＣＩと呼び、ＰＩに対するフィードバックによって、或いはページングメッセージを送信するためのページングメッセージのスケジューリング情報及びリソース割り当て情報を伝達するために送信されるページングＤＣＩを第２ページングＤＣＩと呼ぶことができる。
【０１２５】
方式１の場合、ＰＯに第１ページングＤＣＩが送信されず、ＰＩのみが送信される方式でも適用できる。端末はＰＯでＰＩ検出のみを行い、ＰＩがＰＯで検出された場合、フィードバックウィンドウ内で端末は所定のリソースを用いてＰＩに対するフィードバックを送信し、フィードバック送信後、応答ウィンドウ区間の間にページングＤＣＩ検出を行う。この場合、ページングＤＣＩは上述したように第１ページングＤＣＩ／第２ページングＤＣＩに区分されない。
【０１２６】
上りリンクフィードバックのリソース割り当て方式２) 基地局が端末をして上りリンクにＰＩに対してフィードバックするように命令する場合、基地局は第１ページングＤＣＩにより該当上りリンクフィードバックのために使用する時間／周波数リソースを別に割り当てる(或いは指定／指示する)ことができる。上りリンクフィードバックをＡＣＫ情報送信により理解できるが、このためのリソース割り当てがＲＡＣＨリソースのように多い量が割り当てられる必要はない。該当リソースは、１)Ｐ−ＲＮＴＩごとに、２)ＰＩごとに、３)ＰＩ内の端末ごとに割り当てられることができる。フィードバックのために使用可能なリソースセットは予め設定される。基地局は第１ページングＤＣＩにより特定の端末をページングしながら該当端末がフィードバックのために使用するリソースを指定することができる。
【０１２７】
端末は指示されたフィードバックリソースを用いて第１ページングＤＣＩ及びＰＩに対するフィードバックを送信することができる。方式１)と同様に、端末はページングメッセージ受信のために第２ページングＤＣＩに対するモニタリング及び検出を行う。端末が該当ＤＣＩ検出を行う時間区間、即ち、応答ウィンドウは、ネットワークが特に端末のために設定し、シグナリングすることができる。端末は該当応答ウィンドウ時間の間にＤＣＩ検出を行う。該当応答ウィンドウはＰＯとは異なる時間区間である。他の方式では、端末が第２ページングＤＣＩ検出を行う時間区間、応答ウィンドウ或いは第２ページングＤＣＩが送信される時点(スロット或いはミニスロット)を第１ページングＤＣＩで知らせることができる。
【０１２８】
この方式は、基地局がＰＯで第１ページングＤＣＩを送信しながら、第１ページングＤＣＩにＰＩを含ませて送信する方式で適用できる。ＰＯでページングＤＣＩとページングメッセージが全て送信されることもできる。特定端末からのフィードバックが必要ではない場合、第１ページングＤＣＩでＰＩ Ｆｉｅｌｄは省略できる。この場合、フィードバックを要請する場合と要請しない場合を動的に使用するために、端末がＰＯでＰＩを伝達するＤＣＩとページングメッセージに関するスケジューリング情報を伝達するＤＣＩとを区分する必要がある。この区分方式は、例えば、以下の通りである。
【０１２９】
１.Ｐ−ＲＮＴＩを異なるように割り当てる方法−ＰＩを伝達するＤＣＩとページングメッセージに関するスケジューリング情報を要請するＤＣＩが互いに異なるＰ−ＲＮＴＩを使用するように割り当てられることができる。
【０１３０】
２.ＤＣＩ内のフラグ(ｆｌａｇ)を用いる方法−ＤＣＩ内の特定フラグにフィードバック要請有無を知らせる、或いはＰＩ Ｆｉｅｌｄの存在有無を知らせるビットフィールドが特に設定されることができる。該当フィールドの設定によって、端末はＰＩの存在有無及びフィードバックを行うか否かを分かることができる。また基地局はＰＩ Ｆｉｅｌｄを用いて端末のフィードバックを命令しながら必要なページングメッセージに対するスケジューリングを該当スロット(ＰＯ内のスロット)で行うことができる。この場合、ＰＯで送信される第１ページングＤＣＩに含まれる情報は以下の通りである。
【０１３１】
情報１)ページングメッセージに関するスケジューリング情報を送信するページングＤＣＩは、ＰＩの存在有無を知らせるフィールド及び該当スロットに送信されるページングメッセージに対するスケジューリング情報(リソース割り当て情報、ＭＣＳなど)を含む。
【０１３２】
情報２)ＰＩを送信するページングＤＣＩの場合、ＰＩの存在有無を知らせるフィールド、ＰＩ(ｓ)、ＰＩの特定フィールドがＯＮされる場合、上りリンクフィードバックのためにページングされた端末が使用するリソース情報、第２ページングＤＣＩが送信されるリソース情報(例えば、送信時点、第２ページングＤＣＩモニタリングウィンドウ(応答ウィンドウ)、第２ページングＤＣＩ検索空間など)を含む。
【０１３３】
ページングＤＣＩモニタリング
【０１３４】
端末はＰＯにおいてＰＯを構成する各スロット単位或いはネットワークにおいてシグナリングする時間単位で第１ページングＤＣＩ検出或いはＰＩ検出を行う。またページングメッセージがＰＩ(第１ページングＤＣＩによるＰＩ、又はシーケンスを用いたＰＩの場合を全て含む)によるフィードバックにより送信される場合、該当ページングメッセージ受信のために端末はページングＤＣＩ(或いは第２ページングＤＣＩ)を受信／復号する必要があるが、該当第２ページングＤＣＩを検出するための時点及び検出単位についても特にシグナリングが必要である。特にシグナリングがない限り、端末はＰＯにおけるＰＩを検出するために使用した同じ時間単位で応答ウィンドウ内で第２ページングＤＣＩの検出を行う。或いは特にシグナリングがないと、端末は該当システム帯域でデータに対する初期ニューマロロジー(ｄｅｆａｕｌｔ ｎｕｍｅｒｏｌｏｇｙ)が定義されていると、応答ウィンドウ内で該当ニューマロロジー(スロット／ミニスロット)単位で第２ページングＤＣＩ検出を行う。端末はネットワークから特に第２ページングＤＣＩ検出のための時間単位及びその他のニューマロロジー(例えば、副搬送波間隔)についてシグナリングされることができ、該当情報の通りにＤＣＩ検出を行う。即ち、端末のフィードバックによるページングメッセージ受信のための第２ページングＤＣＩ検出単位は、ＰＯでＰＩ(或いは第１ページングＤＣＩ)検出に使用する単位とは異なる。
【０１３５】
ページングＤＣＩ／メッセージ伝達及びシステム情報の更新指示方式
【０１３６】
上述したＰＩ及び端末のフィードバック指示以外にも、ページングによりシステム情報更新が行われる。既存のＬＴＥシステムでは、基地局は相対的に情報サイズが小さいシステム情報更新に関する情報をＤＣＩ ｆｏｒｍａｔ ６−２により端末に送信する。ＤＣＩ ｆｏｒｍａｔ ６−２をページングに使用できるが、これはページングメッセージに関するスケジューリング情報を伝達するか、又はシステム情報が変更されたことを知らせる時に使用される。該当ＤＣＩ ｆｏｒｍａｔに特定の１ｂｉｔ ｆｌａｇを置いて、該当ＤＣＩがページングメッセージに対するスケジューリングであるか(例えば、ｆｌａｇ＝１である)、システム情報の更新情報を含めているか(例えば、ｆｌａｇ＝０である)を指示できる。システム情報の更新情報を含めている場合、含まれるシステム情報には、ｓｙｓｔｅｍＩｎｆｏＭｏｄｉｆｉｃａｔｉｏｎ、ＥＴＷＳ−Ｉｎｄｉｃａｔｉｏｎ、ｃｍａｓ−Ｉｎｄｉｃａｔｉｏｎ、ｅａｂ−ＰａｒａｍＭｏｄｉｆｉｃａｔｉｏｎなどが含まれて送信される。この２つの機能を担当するＤＣＩ ｆｏｒｍａｔ ６−２はｅＭＴＣで適用可能な方式であって、一般的なシステム情報更新とページングメッセージを同時に送信する機能は支援できない。
【０１３７】
ＮＲでは多重アナログビームの導入により、上述したようなページング方式自体の機能強化及び性能最適化が必要である。従って、ページングＤＣＩは、１)ＰＩの存在有無を知らせる指示子(例えば、ｆｌａｇ)、２)端末フィードバックトリガーリングの要請有無を知らせる指示子(例えば、ｆｌａｇ)、３)システム情報の更新指示情報がページングＤＣＩに含まれて送信されるか否かを知らせる指示子(例えば、ｆｌａｇ)、及び４)ページングメッセージのためのリソース割り当て情報を含む。
【０１３８】
ＰＩの存在有無を知らせるｆｌａｇがＯＮである場合、ページングＤＣＩは該当ページングＤＣＩのターゲット端末グルーピング及び端末情報を知らせるＰＩ Ｆｉｅｌｄを含み、ＰＩの存在有無を知らせるｆｌａｇがＯＦＦである場合には、ページングＤＣＩのＰＩ Ｆｉｅｌｄは他の用途で使用されることができる。
【０１３９】
端末フィードバックトリガーリングを要請するか否かを知らせるｆｌａｇがＯＮである場合、ページングＤＣＩは端末フィードバックのために使用するリソース情報(例えば、ＲＡＣＨリソース)をシグナリングするフィールドが含まれることができる。もし端末フィードバックのために使用するリソース情報が予め端末に伝達されて端末とネットワークの間で約束されている場合、端末フィードバックのために使用するリソース情報はページングＤＣＩに含まれないことができる。端末は予めシグナルされた端末フィードバックのために使用するリソース情報に基づいて端末フィードバックを行うことができる。一方、端末フィードバックトリガーリングを要請するか否かを知らせる該当ｆｌａｇがＯＦＦである場合は、端末は上りリンクフィードバックせず、ＰＩが送信される場合、ＰＩ確認後、ページングメッセージを受信するか、又はＰＩが送信されない場合、ページングＤＣＩ内のページングメッセージのリソース割り当て情報に従ってページングメッセージを受信する。
【０１４０】
システム情報の更新指示情報がページングＤＣＩに含まれて送信されるか否かを知らせるｆｌａｇがＯＮである場合、ページングＤＣＩ内にシステム情報の更新指示情報を伝達する特定のフィールドが存在することが指示される。端末は該当ページングＤＣＩ内でシステム情報の更新有無を確認する。システム情報の更新があると指示された場合、ＵＥはＳＩが送信される時点にＳＩを獲得する。
【０１４１】
システム情報の更新指示情報がページングＤＣＩに含まれて送信されるか否かを知らせるｆｌａｇがＯＦＦである場合、端末はＤＣＩ内でシステム情報(ＳI)の更新有無に関する情報を得ようとしない。該当ＤＣＩ内のシステム情報の更新指示情報を伝達する特定フィールドが存在しなか又は他の目的のために予約されていることができる。或いは該当フィールドは他のシグナリングのために使用されることができる。但し、システム情報が更新された場合、システム情報の更新有無はページングメッセージでも受信できる。
【０１４２】
ページングメッセージのためのリソース割り当て情報は、ページングメッセージが送信される時間／周波数情報、ＭＣＳ(Ｍｏｄｕｌａｔｉｏｎ ａｎｄ Ｃｏｄｉｎｇ Ｓｃｈｅｍｅ)などを含み、ネットワークがページングメッセージのためのリソース割り当て情報を端末にシグナリングすることができる。
【０１４３】
ページングＤＣＩ内にｆｌａｇ情報が含まれることができるが、ページングＤＣＩの初期値(ｄｅｆａｕｌｔ ｖａｌｕｅ)は全てのｆｌａｇがＯＦＦされている値である。以下、上記内容に基づいてページングＤＣＩを構成する方式の実施例を示す。
【０１４４】
図７はページングＤＣＩの一部フィールドの構成方式を例示する図である。
【０１４５】
図７に示したように、ＰＩ ｆｌａｇ ｆｉｅｌｄを有して該当ｆｌａｇがＯＦＦ(例えば、０)である場合、該当ＤＣＩはページングメッセージのスケジューリング情報を知らせるリソース割り当て(Ｒｅｓｏｕｒｃｅ Ａｓｓｉｇｎｍｅｎｔ、ＲＡ)情報フィールドとシステム情報(ＳＩ)更新指示フィールドを含む。もしＰＩ ｆｌａｇがＯＮ(例えば、１)である場合、ＰＩ ｆｌａｇ 値がＯＦＦである場合のＲＡ ＦｉｅｌｄはＰＩ Ｆｉｅｌｄと再解釈されてページングＤＣＩはＰＩ情報を伝達するＰＩ ＦｉｅｌｄとＳＩ Ｆｉｅｌｄを含むことができる。端末はＰＩ Ｆｉｅｌｄ内に端末自分の情報が含まれている場合、端末はその後に送信されるページングメッセージのスケジューリング情報を伝達するＤＣＩを受信し、該当ＤＣＩにおけるＲＡ情報に従ってページングメッセージの受信／復号を行う。もしＰＩ Ｆｉｅｌｄ内に自分の端末情報が含まれていない場合は、端末はＳＩ Ｆｉｅｌｄのみを復号してシステム情報の更新有無を確認し、システム情報更新がある場合は、ＳＩ送信周期に合わせてＳＩを獲得した後、節電モードになり、Ｉ更新がない場合には、すぐ節電モードにすることができる。
【０１４６】
ＰＩ ｆｌａｇがＯＮである場合、選択的に端末からのフィードバックを要請するフィードバックフラグフィールドを構成できるが、該当フィードバックフラグがＯＮである場合、端末はＰＩ Ｆｉｅｌｄに自分の情報が含まれていると、上りリンクに端末フィードバックを送信し、端末フィードバックフラグがＯＦＦである場合は、その後ページングメッセージに関するスケジューリング情報を伝達するＤＣＩ及びページングメッセージを受信する。
【０１４７】
オプション３の動作
【０１４８】
端末はＰＩ Ｆｉｅｌｄ内に自分の端末情報(例えば、端末ＩＤ)が含まれている場合、端末はその後に送信されるページングメッセージのスケジューリング情報を伝達するＤＣＩを受信し、該当ＤＣＩにおけるリソース割り当て(ＲＡ)情報に従ってページングメッセージの受信／復号を行う。
【０１４９】
オプション４の動作
【０１５０】
又はＰＩ Ｆｉｅｌｄ内に自分の端末情報(例えば、端末ＩＤ)が含まれている場合、端末はその後、上りリンクにＲＡＣＨ(Ｒａｎｄｏｍ Ａｃｃｅｓｓ ＣＨａｎｎｅｌ)、ＰＵＣＣＨ(Ｐｈｙｓｉｃａｌ Ｕｐｌｉｎｋ ｃｏｎｔｒｏｌ ＣＨａｎｎｅｌ)、ＳＲＳ(Ｓｏｕｎｄｉｎｇ Ｒｅｒｅｆｅｎｃｅ Ｓｙｍｂｏｌ)などを送信し、端末はその後に送信されるページングメッセージのスケジューリング情報を伝達するＤＣＩを受信して、該当ＤＣＩにおけるＲＡ情報に従ってページングメッセージの受信／復号を行う。
【０１５１】
Ｆｏｒｗａｒｄ ｃｏｍｐａｔｉｂｉｌｉｔｙ支援
【０１５２】
システムを段階的に設計する方式において、初期段階では、ネットワークはページングＤＣＩ及びページングメッセージを送信し、端末はページングＤＣＩ受信及びページングメッセージを受信／復号する形態のページング方式(説明の便宜上、これをオプション１という)を設計し、進化段階では、ネットワークはＰＩを送信し、ページング指示子を受信した多数の端末のうち、ページング指示子で指示された端末は、今後ページングＤＣＩ受信及びページングメッセージ受信／復号を行う形態のページング方式(説明の便宜上、これをオプション３という、又は進化段階では、ネットワークはＰＩを送信し、ＰＩを受信した多数の端末のうち、ＰＩで指示された端末は、今後上りリンク信号(例えば、ＲＡＣＨ、ＰＵＣＣＨ、ＳＲＳなど)を送信し、端末は今後送信されるページングメッセージのスケジューリング情報を伝達するＤＣＩを受信し、受信されたＤＣＩにおけるＲＡ情報によってページングメッセージの受信／復号を行う形態のページング方式(説明の便宜上、これをオプション２という)を設計することができる。
【０１５３】
このように進化的方式のページング設計において、初期段階のオプション(例えば、オプション１)を具現したネットワークと端末のページング動作(端末がＰＩ Ｆｉｅｌｄを含むＤＣＩを受信した時のページング動作)、進化段階のオプション(例えば、オプション２、オプション３など)を具現したネットワークと初期段階のオプション１を具現した端末と進化段階のオプション(例えば、オプション２、オプション３など)を具現した端末が共存する状況における端末のページング動作(端末がＰＩ Ｆｉｅｌｄを含むＤＣＩを受信した時のページング動作)を説明する。
【０１５４】
まず初期段階のオプションでは、ＰＯから起動した端末のうち、ページング対象となる端末がない場合、ＤＣＩフィールドのＰＩ ＦｉｅｌｄをＯＮと設定し、この時、全ての端末はページングメッセージを読み取らず、再度節電モードになる。もしＳＩ Ｆｉｅｌｄの一部ビットがトリガーリングされる場合(例えば、システム情報(ＳＩ)の更新)、全ての端末は一定時間が経過した後、特定時点に関連する動作(例えば、ＳＩ更新)を行う。またＲＲＣ ＣＯＮＮＥＣＴＥＤ状態の端末は、ＰＩ ＦｉｅｌｄのＯＮ／ＯＦＦに関係なく、ＳＩ Ｆｉｅｌｄのビットのトリガーリング有無を判断して、その後の動作を行う。
【０１５５】
進化段階のオプションを具現したネットワークがあり、初期段階のオプションを具現した端末と進化段階のオプションを具現した端末が共存する場合、ＰＯから起動した端末のうち、ページング対象となる端末の種類によってＰＩ Ｆｉｅｌｄを使用して初期段階オプションのページング手順を行うか、或いは進化段階オプションのページング手順を行うかを決定する。例えば、ページング対象となる端末に初期段階のオプションを具現した端末及び進化段階のオプションを具現した端末が全て含まれる場合、ネットワークはＰＩ ＦｉｅｌｄをＯＦＦと設定して初期段階オプションのページング手順を行い、これを受信した初期段階の端末及び進化段階の端末は初期段階オプションのページング手順を行う。反面、ページング対象となる端末のうち、初期段階オプションを具現した端末がなく、進化段階の端末のみがある場合、ネットワークはＰＩ ＦｉｅｌｄをＯＮに設定することにより初期段階の端末を節電モードとすることができ、進化段階の端末のうち、ＰＩによりページングが指示される端末は進化段階オプションのページング手順を行い、進化段階の端末のうち、ページング指示子により指示されなかった端末は節電モードになる。
【０１５６】
もし端末はＰＩ Ｆｉｅｌｄ内に自分の端末情報(例えば、端末ＩＤ)が含まれていない場合、再度節電モードになることができ、端末はＳＩ Ｆｉｅｌｄを確認するが、(ＳＩ Ｆｉｅｌｄはシステム情報を伝達する目的で使用され、特定値を置いて(例えば、００００..００)システム情報の更新がないことを指示することができる)、システム情報の更新がないと指示された場合は、端末は再度節電モードになることができる。
【０１５７】
ＰＩ ｆｌａｇがＯＮである場合、基地局は選択的に端末からのフィードバックを要請するフィードバックフラグフィールドを設定できるが、該当フィードバックフラグがＯＮになった場合、端末はＰＩ Ｆｉｅｌｄに自分の情報(例えば、端末ＩＤ)が含まれていると、上りリンクに端末フィードバックを送信し、端末フィードバックフラグがＯＦＦになっている場合は、ページングメッセージに関するスケジューリング情報を伝達するＤＣＩ及びページングメッセージを受信する。図９は端末フィードバックフラグフィールドがページングＤＣＩに存在しない場合のページングメッセージの受信に関連する過程を例示する図である。
【０１５８】
図８を参照すると、端末はページングＤＣＩを受信する(Ｓ８１０)。ページングＤＣＩにはＰＩ ｆｌａｇが含まれるが、端末はＰＩ ｆｌａｇが指示する値が何であるかを判断する(Ｓ８２０)。ページングＤＣＩにおいてＰＩ ｆｌａｇ ＯＦＦ(例えば、ＰＩ ｆｌａｇ＝'０')である場合、端末は受信したページングＤＣＩがページングメッセージのスケジューリング情報を知らせるリソース割り当て(Ｒｅｓｏｕｒｃｅ Ａｓｓｉｇｎｍｅｎｔ、ＲＡ)情報フィールドとシステム情報(ＳＩ)の更新指示フィールドを含んでいると解釈する(Ｓ８３０)。端末はＲＡ Ｆｉｅｌｄで指示した通りページングメッセージの受信／復号を行う(Ｓ８４０)。その後、端末はＳＩ更新があると、ＳＩ送信時点に合わせて更新されたＳＩを得ることができる(Ｓ８６０)。
【０１５９】
一方、ＰＩ ｆｌａｇがＯＮ(例えば、ＰＩ ｆｌａｇ＝'１')である場合、端末は、ＰＩフラグ値がＯＦＦである場合のＲＡ ＦｉｅｌｄはＰＩ Ｆｉｅｌｄと再解釈されて、ページングＤＣＩはＰＩ情報を伝達するＰＩ ＦｉｅｌｄとＳＩ Ｆｉｅｌｄを含むと解釈される(Ｓ８３５)。
【０１６０】
端末はＰＩ Ｆｉｅｌｄ内に端末自分の情報が含まれているか否かを決定する(Ｓ８４５)。端末はＰＩ Ｆｉｅｌｄ内に端末自分の情報が含まれていると判断されると、ページングメッセージ受信のために、それに対するスケジューリング情報を運ぶＤＣＩをブラインド検出してページングメッセージを受信する(Ｓ８５０)。また端末はＳＩ更新がある場合、ＳＩ送信時点に合わせて更新されたＳＩを得ることができる(Ｓ８６０)。ＰＩ Ｆｉｅｌｄ内に端末自分の情報が含まれていないと判断されると(Ｓ８４５)、端末はＳ８５０の過程を行わず、ＳＩ更新がある場合にＳＩ送信時点に合わせて更新されたＳＩを得ることができる(Ｓ８６０)。
【０１６１】
図９は端末フィードバックｆｌａｇフィールドがページングＤＣＩに存在する場合のページングメッセージ受信に関連する過程を例示する図である。
【０１６２】
図９を参照すると、端末はページングＤＣＩを受信する(Ｓ９１０)。ページングＤＣＩにはＰＩ ｆｌａｇが含まれるが、端末はＰＩ ｆｌａｇが指示する値が何であるかを判断する(Ｓ９２０)。ページングＤＣＩにおいてＰＩ ｆｌａｇ ＯＦＦ(例えば、ＰＩ ｆｌａｇ＝'０')である場合、端末は受信したページングＤＣＩがページングメッセージのスケジューリング情報を知らせるリソース割り当て(Ｒｅｓｏｕｒｃｅ Ａｓｓｉｇｎｍｅｎｔ、ＲＡ)情報フィールドとシステム情報(ＳＩ)更新指示フィールドを含んでいると解釈する(Ｓ９３０)。端末はＲＡ Ｆｉｅｌｄで指示する通りにページングメッセージを受信／復号する(Ｓ９４０)。その後、端末はＳＩ更新がある場合、ＳＩ送信時点に合わせて更新されたＳＩを得ることができる(Ｓ９６０)。
【０１６３】
一方、ＰＩ ｆｌａｇがＯＮ(例えば、ＰＩ ｆｌａｇ＝'１')である場合、端末はＰＩ ｆｌａｇ値がＯＦＦである場合のＲＡ ＦｉｅｌｄはＰＩ Ｆｉｅｌｄと再解釈されてページングＤＣＩはＰＩ情報を伝達するＰＩ ＦｉｅｌｄとＳＩ Ｆｉｅｌｄを含んでいると解釈する(Ｓ９３５)。
【０１６４】
端末はＰＩ Ｆｉｅｌｄ内に端末自分の情報が含まれているか否かを決定する(Ｓ９４５)。端末はＰＩ Ｆｉｅｌｄ内に端末自分の情報が含まれていると判断すると、フィードバックフラグが指示する値を判断する(Ｓ９５０)。フィードバックフラグが'１'を指示すると、端末は上りリンクフィードバックを送信する(Ｓ９５５)。また端末はページングメッセージ受信のためにページングメッセージに関するスケジューリング情報を運ぶＤＣＩをブラインド検出してページングメッセージを受信する(Ｓ９６０)。また端末はＳＩ更新がある場合、ＳＩ送信時点に合わせて更新されたＳＩを得ることができる(Ｓ９７０)。
【０１６５】
一方、フィードバックフラグが'０'を指示すると(即ち、上りリンクフィードバックが要求されないことを指示)、端末は上りリンクフィードバック送信を行わず、ページングメッセージ受信のためにページングメッセージに関するスケジューリング情報を運ぶＤＣＩをブラインド検出してページングメッセージを受信する(Ｓ９６０)。また端末はＳＩ更新がある場合、ＳＩ送信時点に合わせて更新されたＳＩを得ることができる(Ｓ９７０)。ページングＤＣＩ内でフィードバックフィールドは省略でき、この場合、端末は上述したように、フィードバックフラグが０’を指示する場合のように動作する。
【０１６６】
もし、ＰＩ Ｆｉｅｌｄ内に端末自分の情報が含まれていないと判断されると(Ｓ９４５)、端末はＳ９５０乃至Ｓ９６０の過程を行わず、ＳＩ更新がある場合は、ＳＩ送信時点に合わせて更新されたＳＩを得ることができる(Ｓ９７０)。
【０１６７】
ページングＤＣＩを構成する方式のさらに他の実施例として、以下の図１０のように構成することができる。
【０１６８】
図１０はページングＤＣＩの一部フィールドの構成方式を例示する図である。
【０１６９】
ＳＩ ｆｌａｇ値がＯＦＦ(例えば、０)であると、ページングＤＣＩの一部はＲＡ ｆｉｅｌｄを含む。もしＳＩ ｆｌａｇ値がＯＮ(例えば、１)であると、端末はＲＡ ＦｉｅｌｄをＰＩ ＦｉｅｌｄとＳＩ Ｆｉｅｌｄと解釈することができる。基地局はＤＣＩに図８の場合のようにフィードバックフラグフィールドを設定してＰＩ Ｆｉｅｌｄに自分の情報が含まれた端末から上りリンクフィードバックを要請することもできる。
【０１７０】
Ｆｏｒｗａｒｄ ｃｏｍｐａｔｉｂｉｌｉｔｙ支援
【０１７１】
まず、初期段階のオプションでは、ＰＯから起動した端末のうち、ページング対象となる端末がある場合、基地局はＤＣＩフィールドのＳＩ ＦｉｅｌｄをＯＦＦとセットし、この時、全ての端末はＲＡ Ｆｉｅｌｄを読んでページングメッセージの受信／復号を行う。また初期段階のオプションでは、ＳＩ Ｆｉｅｌｄのうちの一部内容がトリガーされる場合(例えば、ＳＩ更新)、ＳＩ ＦｉｅｌｄをＯＮにセットし、全ての端末はＳＩ Ｆｉｅｌｄのビット状態を確認後、一定時間が経過した後に特定の時間に関連する動作(例えば、ＳＩ更新)を行う。またＲＲＣ ＣＯＮＮＥＣＴＥＤ状態の端末はＳＩ ＦｉｅｌｄがＯＮとセットされた場合、ＳＩ Ｆｉｅｌｄのビットのトリガー有無を判断して、今後の動作を行う。
【０１７２】
進化段階のオプションを具現したネットワークがあり、初期段階のオプションを具現した端末と進化段階のオプションを具現した端末が共存する場合、ＰＯから起動した端末のうち、ページング対象となる端末の種類によってＳＩ Ｆｉｅｌｄを使用して初期段階オプションのページング手順を行うか、或いは進化段階オプションのページング手順を行うかを決定する。例えば、ページング対象となる端末に初期段階のオプションを具現した端末及び進化段階のオプションを具現した端末が全て含まれる場合、ネットワークはＳＩ ＦｉｅｌｄをＯＦＦと設定して初期段階オプションのページング手順を行い、これを受信した初期段階の端末及び進化段階の端末は初期段階オプションのページング手順を行う。反面、ページング対象となる端末のうち、初期段階オプションを具現した端末はなく、進化段階の端末のみがある場合は、ネットワークはＳＩ ＦｉｅｌｄをＯＮに設定して初期段階の端末はＳＩ Ｆｉｅｌｄを確認後、節電モードにするか、或いはＳＩ更新などの動作を行うかを決定する。また進化段階の全ての端末はＳＩ Ｆｉｅｌｄを確認してシステム情報更新などの動作を行い、進化段階の端末のうち、ＰＩによりページングが指示された端末は進化段階オプションのページング手順を行う。
【０１７３】
図１１は端末フィードバックフラグフィールドがページングＤＣＩに存在しない場合のページングメッセージの受信に関連する過程を例示する図である。
【０１７４】
図１１を参照すると、端末はページングＤＣＩを受信する(Ｓ１１１０)。ページングＤＣＩにはＳＩ ｆｌａｇが含まれるが、端末はＳＩ ｆｌａｇが指示する値が何であるかを判断する(Ｓ１１２０)。ページングＤＣＩにおいて、ＳＩ ｆｌａｇ ＯＦＦ(例えば、ＳＩ ｆｌａｇ＝'０')である場合、端末は受信したページングＤＣＩがページングメッセージのスケジューリング情報を知らせるリソース割り当て(Ｒｅｓｏｕｒｃｅ Ａｓｓｉｇｎｍｅｎｔ、ＲＡ)情報フィールドを含んでいると判断する(Ｓ１１３０)。端末はＲＡ Ｆｉｅｌｄの指示の通りにページングメッセージの受信／復号を行う(Ｓ１１４０)。その後、端末はＳＩ更新がある場合、ＳＩ送信時点に合わせて更新されたＳＩを得ることができる(Ｓ１１６０)。
【０１７５】
一方、ＳＩ ｆｌａｇがＯＮ(例えば、ＰＩ ｆｌａｇ＝'１')である場合、端末はページングＤＣＩがＰＩ情報を伝達するＰＩ ＦｉｅｌｄとＳＩ Ｆｉｅｌｄを含むと解釈する(Ｓ１１３５)。
【０１７６】
端末はＰＩ Ｆｉｅｌｄ内に端末自分の情報が含まれているか否かを決定する(Ｓ１１４５)。端末はＰＩ Ｆｉｅｌｄ内に端末自分の情報が含まれていると判断されると、ページングメッセージ受信のために、それに関するスケジューリング情報を運ぶＤＣＩをブラインド検出してページングメッセージを受信する(Ｓ１１５０)。また端末はＳＩ更新がある場合、ＳＩ送信時点に合わせて更新されたＳＩを得ることができる(Ｓ１１６０)。ＰＩ Ｆｉｅｌｄ内に端末自分の情報が含まれていないと判断されると(Ｓ１１４５)、端末はＳ１１５５の過程を行わず、ＳＩ更新がある場合は、ＳＩ送信時点に合わせて更新されたＳＩを得る(Ｓ１１６０)。
【０１７７】
図１２は端末フィードバックフラグフィールドがページングＤＣＩに存在する場合のページングメッセージの受信に関連する過程を例示する図である。
【０１７８】
図１２を参照すると、端末はページングＤＣＩを受信する(Ｓ１２１０)。ページングＤＣＩにはＳＩ ｆｌａｇが含まれるが、端末はＳＩ ｆｌａｇが指示する値が何であるかを判断する(Ｓ１２２０)。ページングＤＣＩにおいて、ＳＩ ｆｌａｇ ＯＦＦ(例えば、ＳＩ ｆｌａｇ ＝'０')である場合、端末は受信したページングＤＣＩがページングメッセージのスケジューリング情報を知らせるリソース割り当て(Ｒｅｓｏｕｒｃｅ Ａｓｓｉｇｎｍｅｎｔ、ＲＡ)情報フィールドを含んでいると解釈する(Ｓ１２３０)。端末はＲＡ Ｆｉｅｌｄの指示の通りにページングメッセージの受信／復号を行う(Ｓ１２４０)。その後、端末はＳＩ更新がある場合、ＳＩ送信時点に合わせて更新されたＳＩを得ることができる(Ｓ１２７０)。
【０１７９】
一方、ＳＩ ｆｌａｇがＯＮ(例えば、ＳＩ ｆｌａｇ＝'１')である場合、端末はＳＩ ｆｌａｇ値がＯＦＦである場合のＲＡ ＦｉｅｌｄがＰＩ Ｆｉｅｌｄと再解釈されて、ページングＤＣＩはＰＩ情報を伝達するＰＩ Ｆｉｅｌｄ、ＳＩ Ｆｉｅｌｄ及びフィードバックフラグフィールドを含むと解釈される(Ｓ１０３５)。
【０１８０】
端末はＰＩ Ｆｉｅｌｄ内に端末自分の情報が含まれているか否かを決定する(Ｓ１２４５)。端末はＰＩ Ｆｉｅｌｄ内に端末自分の情報が含まれていると判断されると、フィードバックフラグが指示する値を判断する(Ｓ１２５０)。フィードバックフラグが'１'を指示すると、端末は上りリンクフィードバックを送信する(Ｓ１２５５)。また端末はページングメッセージ受信のためにページングメッセージに関するスケジューリング情報を運ぶＤＣＩをブラインド検出してページングメッセージを受信する(Ｓ１２６０)。また端末はＳＩ更新がある場合、ＳＩ送信時点に合わせて更新されたＳＩを得ることができる(Ｓ１２７０)。
【０１８１】
一方、フィードバックフラグが'０'を指示すると(即ち、上りリンクフィードバックが求められないことを指示)、端末は上りリンクフィードバックの送信を行わず、ページングメッセージの受信のためにページングメッセージに関するスケジューリング情報を運ぶＤＣＩをブラインド検出してページングメッセージを受信する(Ｓ１２６０)。また端末はＳＩ更新がある場合、ＳＩ送信時点に合わせて更新されたＳＩを得ることができる(Ｓ１２７０)。
【０１８２】
もし、ＰＩ Ｆｉｅｌｄ内に端末自分の情報が含まれていないと判断されると(Ｓ１２４５)、端末はＳ１２５０乃至Ｓ１２６０の過程を行わず、ＳＩ更新がある場合にＳＩ送信時点に合わせて更新されたＳＩを得ることができる(Ｓ１２７０)。
【０１８３】
以上で説明した実施例は本発明の構成要素と特徴が所定の形態に結合されたものである。各構成要素又は特徴は別途の明示的言及がない限り選択的なものとして考慮されなければならない。各構成要素又は特徴は他の構成要素又は特徴と結合しない形態に実施されることができる。また、一部の構成要素及び／又は特徴を結合して本発明の実施例を構成することもできる。本発明の実施例で説明する動作の順序は変更されることができる。一実施例の一部の構成又は特徴は他の実施例に含まれることができ、あるいは他の実施例の対応する構成又は特徴と取り替えられることができる。特許請求範囲で明示的な引用関係がない請求項を結合して実施例を構成するとか出願後の補正によって新しい請求項として含ませることができるのは明らかである。
【０１８４】
本発明は本発明の精神及び必須特徴から逸脱しない範疇内で他の特定の形態に具体化されることができるのは当業者に明らかである。よって、前記の詳細な説明は全ての面で制限的に解釈されてはいけなく例示的なものとして考慮されなければならない。本発明の範囲は添付の請求項の合理的解釈によって決定されなければならなく、本発明の等価的範囲内での全ての変更は本発明の範囲に含まれる。
【産業上の利用可能性】
【０１８５】
ページングメッセージを受信する方法及びそのための端末は、３ＧＰＰ ＬＴＥ／ＬＴＥ−Ａシステム、５Ｇ通信システム、ＮＲなどのような様々な無線通信システムで産業上利用可能である。
【図１】
0006829324.tif 000014
【図２】
0006829324.tif 000015
【図３】
0006829324.tif 000016
【図４】
0006829324.tif 000017
【図５】
0006829324.tif 000018
【図６】
0006829324.tif 000019
【図７】
0006829324.tif 000020
【図８】
0006829324.tif 000021
【図９】
0006829324.tif 000022
【図１０】
0006829324.tif 000023
【図１１】
0006829324.tif 000024
【図１２】
0006829324.tif 000025